(57)【要約】【課題】簡単な構造で、最大限のアクセスフロアを確保するとともに、ゴミなどの落下防止や、騒音低減を図ることが可能な回転照射装置を得る。【解決手段】患者に対して回転自在に荷電粒子ビームを照射する照射装置を有する回転照射装置において、照射装置が取り付けられ、照射装置と連動して回転するフレームと、フレーム内を転動可能に構成され、フレーム内部の下方部にフレームと連動しないように配置された開閉機構を有し、開閉機構は、照射装置の通路となる部分の床が、水平方向にスライドし開閉される開閉式床および開閉式床を駆動する駆動機構を有し、開閉式床は、複数に細分化されてなり、開閉動作時に、駆動機構により、開閉式床の上面であるフロア面に沿って、水平面内のみを平行移動する構造であり、開閉式床が開動作時に占有するスペースを回転照射装置のフレーム内部側に設けた構成とする。【選択図】図１
2007083059.tif 000002
【特許請求の範囲】
【請求項１】
患者に対して回転自在に荷電粒子ビームを照射する照射装置を有する回転照射装置において、上記照射装置が取り付けられ、上記照射装置と連動して回転するフレームと、上記フレーム内を転動可能に構成され、上記フレーム内部の下方部に上記フレームと連動しないように配置された開閉機構を有し、上記開閉機構は、上記照射装置の通路となる部分の床が、水平方向にスライドし開閉される開閉式床および上記開閉式床を駆動する駆動機構を有し、上記開閉式床は、複数に細分化されてなり、開閉動作時に、上記駆動機構により、上記開閉式床の上面であるフロア面に沿って、水平面内のみを平行移動する構造であり、上記開閉式床が開動作時に占有するスペースを上記回転照射装置のフレーム内部側に設けることを特徴とする回転照射装置。
【請求項２】
上記開閉機構は、上記開閉式床のラジアル方向とスラスト方向の位置を規制する位置規制機能を有することを特徴とする請求項１記載の回転照射装置。
【請求項３】
複数に細分化された上記開閉式床のうち、上記照射装置の移動時に上記照射装置の通過経路および停止位置となる位置に存在する上記開閉式床は開動作し、他の上記開閉式床は閉動作し、上記照射装置の通過後に上記通過経路に位置する上記開閉式床は閉動作することを特徴とする請求項１に記載の回転照射装置。
【請求項４】
上記開閉機構は、複数の上記開閉式床をばねを介して一つの上記駆動機構で動作させる構成であることを特徴とする請求項１〜３のいずれか一項に記載の回転照射装置。
【発明の詳細な説明】
【技術分野】
【０００１】
本発明は、がん治療で使用される放射線治療用の回転照射装置（以下、回転ガントリとする。）に関する。
【背景技術】
【０００２】
近年、がん治療を目的とした放射線治療装置では陽子や重イオンを用いたがん治療装置の開発や建設が進められており、患者に対して任意の方向から照射するために回転照射装置（回転ガントリ）が設けられる場合が多い。
回転ガントリは照射装置を３６０度回転し、患者に対して任意の回転角度から荷電粒子ビームを照射するように構成され、照射装置が患者より下方に来た場合でも照射室内部の床面を確保するために工夫がされている。
【０００３】
例えば図６は特許文献１に示された従来の技術を示す構成図である。図は回転ガントリの構造を示し、図において４０は回転ガントリ、１２２は放射線照射部、１２６は後面パネル、４２はガントリフレーム、４４はフロントリング、４６はリアリング、４８は架台、５０はサポートロール、５２はガントリ駆動モータ、６２は固定側リングレール、６４はサポートリング、７２は移動側リングレール、８０は移動床通路、８２は移動床、９０はマグネットサポートを示す。
【０００４】
次に動作について説明する。フロントリング４４とリアリング４６はガントリフレーム４２及びマグネットサポート９０によって連結されており、その内部にサポートリング６４が設けられている。回転ガントリ４０はガントリ駆動モータ５２によって駆動され、回転する。この際にサポートリング６４の内側に設けられた移動側リングレール７２はサポートリング６４の内面を回転できるように構成されており、回転ガントリ４０の回転に同期して逆方向に回転する。これにより移動側リングレール７２の位置は常に一定に保たれ、固定側リングレール６２の案内と伴ってリンクで屈曲自在に連結された移動床８２はかまぼこ型の形状を維持し、治療用ベッドの下側に水平なアクセスフロアを形成している。
【０００５】
しかし、移動床８２を案内するための固定側リングレール６２や移動側リングレール７２を精度よく加工する必要があるほか、移動側リングレール７２を回転ガントリ４０の回転に同期して回転させる必要があるため、構造が複雑となり製作コストが高くなるという問題がある。
また、移動床８２においては回転ガントリ４０の回転に応じてフロア面を形成する部分が変化し、結果フロア面であった部分が天井に達するケースも発生するためゴミなどの異物が患者の上に落下するという問題がある。これは移動床８２がリンクで連結された多数の板であることから、ゴミなどの異物が引っかかりやすいということも影響している。さらに、移動床８２に設けられた車輪が固定側リングレール６２や移動側リングレール７２の中を転動する際に騒音を発生し好ましくない。これはリングレールの水平と円弧との境目で大きく発生する傾向にある。
【０００６】
また、前述の特許文献１の従来技術として建屋側からデッキを必要に応じて張り出す方法についても記載されているが、治療台との干渉を避けるために構造が複雑となって製作コストが高くなるため問題である。
【０００７】
【特許文献１】特開平１１−４７２８７号公報
【発明の開示】
【発明が解決しようとする課題】
【０００８】
従来の技術における回転ガントリの場合には前述の通り、移動床８２を案内するための固定側リングレール６２や移動側リングレール７２を精度よく加工する必要があるほか、移動側リングレール７２を回転ガントリ４０の回転に同期して回転させる必要があるなど、構造が複雑となり製作コストが高くなるという問題があった。
【０００９】
また、移動床８２においては回転ガントリ４０の回転に応じてフロア面を形成する部分が変化し、結果フロア面であった部分が天井に達するケースも発生するためゴミなどの異物が患者の上に落下するという問題があった。これは移動床８２がリンクで連結された多数の板であることから、ゴミなどの異物が引っかかりやすいということも影響している。
【００１０】
また移動床８２に設けられた車輪が固定側リングレール６２や移動側リングレール７２の中を転動する際に騒音を発生し好ましくない。これはリングレールの水平と円弧との境目で大きく発生する傾向にある。
【００１１】
また、前述の特許文献１の従来技術として建屋側からデッキを必要に応じて張り出す方法についても記載されているが、治療台及びその駆動装置との干渉を避けるために構造が複雑となり、結果、製作コストが高くなるため問題であった。
【００１２】
この発明は上記のような課題を解決するためになされたものであり、簡単な構造で最大限のアクセスフロアを確保すると共にゴミなどの落下防止や騒音低減も図ることで好適な回転ガントリを得ることを目的とする。
【課題を解決するための手段】
【００１３】
この発明に係わる回転照射装置は、患者に対して回転自在に荷電粒子ビームを照射する照射装置を有する回転照射装置において、上記照射装置が取り付けられ、上記照射装置と連動して回転するフレームと、上記フレーム内を転動可能に構成され、上記フレーム内部の下方部に上記フレームと連動しないように配置された開閉機構を有し、上記開閉機構は、上記照射装置の通路となる部分の床が、水平方向にスライドし開閉される開閉式床および上記開閉式床を駆動する駆動機構を有し、上記開閉式床は、複数に細分化されてなり、開閉動作時に、上記駆動機構により、上記開閉式床の上面であるフロア面に沿って、水平面内のみを平行移動する構造であり、上記開閉式床が開動作時に占有するスペースを上記回転照射装置のフレーム内部側に設けるものである。
【発明の効果】
【００１４】
この発明の回転照射装置によれば、照射装置の通過する床を、水平面内のみを平行移動する開閉式のものとし、その開閉機構を回転照射装置のフレーム内部に設けることで、治療台の多軸の調整に必要なスペースを確保することができ、その結果簡単な構造で最大限のアクセスフロアを確保できるものである。その開閉機構を開閉式床の開動作時に占有するスペースを含めて回転照射装置のフレーム内部に収容するように構成したので、治療台側との干渉の問題が生じないため開閉機構の構造を簡素化することが可能である。
【発明を実施するための最良の形態】
【００１５】
実施の形態１．
以下、この発明の実施の形態１を図に基づいて説明する。図１〜４は実施の形態１における構造を示す図であり、図１（ａ）は、回転ガントリ全体を示す回転ガントリの回転軸に沿う側面図、図１（ｂ）は図１（ａ）とは別の回転ガントリ全体を示す図であり、回転軸に垂直な方向から回転ガントリを観察した側面図である。図２は開閉機構の側面図、図３は開閉機構のスライド式の開閉式床を示す上面図、図４が複数に細分化された開閉式床の端部を示す断面図である。
【００１６】
図１において、符号１は回転ガントリのフレーム、２はフレームに設けられた回転リング、３は回転リング２を受けるローラーと回転駆動するモータや減速機が設けられた回転駆動装置、５は回転リング２を受けるリングとブレーキや減速機が設けられたブレーキ装置、６は３６０度回転する回転ガントリ内へ配線、配管を供給するケーブルスプール、７は回転ガントリに導入された荷電粒子ビームを照射装置８にまで輸送するビーム輸送機器であり、照射装置８は輸送された荷電粒子ビームを患者の照射患部にあわせて整形して照射するものである。
【００１７】
さらに、符号９は患者を乗せる治療台、１０はＸ線画像を得るＩＩ管装置、１１は照射装置８が通過する部分の床を開閉する開閉機構、１２は回転ガントリとＩＩ管装置１０とともに回転する回転パネル、１３は開閉機構１１に固定された固定壁、１４は回転ガントリと共に回転する回転壁、１５は治療台９を設置する治療台ベース、１６は建屋を示す。なお、治療台ベース１５は固定式の床である。
【００１８】
また図２において、符号１７は開閉機構１１における開閉式床、１８は開閉式床１７の先端に設けられた位置決めピン、１９は開閉式床１７に取り付けられたスライドレール、２０はベース、２１は開閉式床１７をスライドさせる駆動機構であるエアーシリンダ、２２はベース２０に設けられフレーム１の内部を転動するローラー、２３はベース２０に設けられ開閉機構１１のスラスト方向（回転軸方向）の動きと傾きを規制、案内するガイドローラー、２４はガイドローラー２３を案内するガイドレール、２５は開閉式床１７に設けられた移動スクレーパ、２６は治療台側固定スクレーパを示す。その他の構成要素については図１と同様である。なお、回転ガントリの内面とローラー２２によって開閉機構１１のラジアル方向（円周方向）の位置規制がなされる。
【００１９】
また図３において、符号１７ａ〜１７ｐは１６台設けられた開閉式床１７を個別に示す。その他の構成要素については図１及び図２と同様である。
また図４において、符号２７は開閉機構側固定スクレーパを示す。その他の構成要素については図１、図２、図３と同様である。
【００２０】
次に動作について説明する。図１で回転ガントリに導入された荷電粒子ビームは偏向電磁石や四極電磁石などによりなるビーム輸送機器７によって照射装置８まで輸送され、照射装置８で患者の照射患部の形状にあわせて整形された後に照射される。患者は治療台９の上に固定されて位置決めが行われており、所定の照射患部に荷電粒子ビームが照射される。治療台９は患者の照射患部が照射位置であるアイソセンターに一致するように動作させる必要があるため、通常は上下左右、前後、回転など多軸の位置決め動作が可能である。回転ガントリはこれに加えてビーム輸送機器７及び照射装置８を回転させることにより患者に対して３６０度自在な方向からビームを照射することを可能とするものであり、患者が仰向けの状態のまま様々な方向からビームを照射することができる。このことについては従来技術と同様である。
【００２１】
この発明による回転ガントリの特徴は照射装置８が患者より下部に来た際に通過する床の部分を開閉させる開閉機構１１を建屋側ではなく回転ガントリのフレーム１の内部に設け、開閉式床１７の開動作時に占有するスペースなどの必要なスペースを確保したことにより、開閉機構１１の構造を簡素化している点である。詳細について図２〜図４を用いて説明する。開閉式床１７はエアーシリンダ２１によって水平方向にスライドする構造となっており、床を閉じた状態では開閉式床１７の先端に設けられた位置決めピン１８が治療台ベース１５に設けられた位置決め穴に挿入されて接続される。
【００２２】
開閉式床１７やエアーシリンダ２１などが取り付けられたベース２０はローラー２２によって回転ガントリ内面に荷重が支えられており、回転ガントリが回転してもローラー２２の転動と開閉機構１１の自重により開閉機構１１全体は常にフレーム１の内面中心と一致するように回転ガントリ内部の最下部に位置するように動作する。これには開閉機構１１全体の重心が精度良く中心にある必要があり、また回転ガントリの回転中心とフレーム１内面との偏心が少なく、ローラー２２による転がり摩擦が少ない方が好ましいため、フレーム１内面の転動する部分は機械加工するなどの処置を施した方が良い。
【００２３】
また、フレーム１内部に設けられたガイドレール２４を挟み込むようにしてガイドローラ２３が設けられており、これが開閉式床１７の両端に設けられているため、開閉式床１７のスラスト方向の位置と傾きを規制している。
【００２４】
次に照射装置８と開閉式床１７の動作について図３を用いて説明する。照射装置８は患者に対して垂直上方の位置から±１８０度回転する。図３では照射装置８は図の上側から移動して最大の回転ストロークつまり真下の状態になる場合を示している。照射装置８が通過する部分にあたる開閉式床１７ａ〜１７ｌは開状態として照射装置８の通路を確保しているが、照射装置８の位置決めが完了し、停止すると通路となっていた１７ａ〜１７ｄについては閉じることが可能であるため、アクセスフロアを最大限に確保するためにこの部分については閉動作を行う。このように回転ガントリを回転させる際（移動時）には照射装置８の通過経路および停止位置となる位置に存在する開閉式床１７を開き、回転（移動）が終了した後に閉じることが可能な部分については閉状態とすることでアクセスフロアを最大限に確保することが可能である。
【００２５】
図３では開閉式床１７を１６個としているが、より細分化することにより照射装置８との隙間を小さくすることが可能である。
この様に照射装置８の移動する位置に応じて開閉する床を判断していることになるが、通常回転ガントリは０．１度などの細かな精度で位置決めする必要があり、シーケンサーやコンピューターなどのコントローラーによって制御されるため、この様な判断は容易に行うことが可能である。
また、開閉式床１７の開閉について、回転させる前に開閉式床１７を開動作させ、回転終了後に閉動作可能な部分を閉動作させるように記述したが、照射装置８の位置に同期させて開閉させても同様の効果を奏する。
【００２６】
また、回転停止後に閉動作可能な開閉式床１７を判断して閉動作させるように記述したが、エアーシリンダ２１の推力で照射装置８を壊さない様に考慮して構成すれば、通路として開動作させた全ての開閉式床１７を閉動作させ、照射装置８が停止し存在する位置にある開閉式床１７は照射装置８に当たって停止させるという簡単な動作とすることが可能である。
【００２７】
上記のように動作させることにより開閉式床１７ａ〜１７ｐのうち少なくとも４個は常に閉状態とすることができるため、開閉式床１７の先端にある位置決めピン１８によって固定の床となる治療台ベース１５と接続固定され、開閉機構１１全体の回り止めとしても作用する。これは回転ガントリの回転ストロークを下方での位置決め及び微調整を考慮して±１９０度程度に延長した場合においても照射装置８の通路または停止位置とならない位置に存在する最低一つの開閉式床１７が固定の床である治療台ベース１５側と接続できていれば回り止めとしては同様の効果を得ることが可能である。
【００２８】
また、最悪の場合、開閉式床１７ｐの位置まで照射装置８が移動するようなケースが発生しても一度真下の状態で停止し、回転の上流側に位置する開閉式床１７ａ〜１７ｄを閉じてから再度回転させるなどの方法で必ず最低一ヶ所を閉じた状態とすることが可能であるので回り止めとしては同様の効果を得ることが可能である。
【００２９】
次にゴミなどの異物に関する対策について説明する。まず回転ガントリ内部の治療室の内装については治療台９から見て最も奥にあたる開閉機構１１のローラーが転動する部分については固定壁１３が内装として設けられており、ベース２０に固定されるため回転しない。固定壁１３より治療台９側についてはフレーム１に固定されフレーム１と共に回転する回転壁１４が設けられている。固定壁１３を設けることによりローラー２２がフレーム１の内面を転動した際に生じる擦り傷を隠すことが可能である。また、前述の通り、ローラー２２が転動する面については精度が要求されるため、治療室の内装をローラー２２が摺るように構成すると内装の材質などの選択自由度が低下するため好ましくない。
【００３０】
次に開閉式床１７の構造についてさらに詳細に説明する。図４は開閉機構１１を構成する開閉式床１７の端部の断面図を示す図であり、図に示す通り開閉式床１７は隣接する開閉式床１７と一部がオーバーラップするような形状とされており、フロア面に落下したゴミが直接落下しない様にしている。また、万一ゴミが回転壁１４あるいはフレーム１の内面に落下した場合でも回転ガントリの回転によってゴミなどの異物がフロア面より上に行かない様、移動スクレーパ２５、治療装置側固定スクレーパ２６、開閉機構側スクレーパ２７が作用する。
【００３１】
結果、回転ガントリを回転させてもゴミなどの異物が上から落下するという問題を防止することできる。また、フロア面だけを清掃すれば良いことになるのでメンテナンスが容易となる。
それぞれのスクレーパはフレーム１、回転壁１４の内面を削ぐように内面に沿わせて設けることで埃などの微細な異物もフロア下面に封じ込めることが可能であるが、回転壁１４の内装面を保護する意味から微細なギャップを設けて設置しても良い。また、スクレーパの接触面をゴムなどの柔らかい材質で構成するか、ばねを用いて弱い力で押しつけて保護するなどしても良い。
【００３２】
上記のように、照射装置８の通過する部分を細分化した開閉式床１７とし、開閉式床１７およびその駆動機構を有する開閉機構１１を回転ガントリのフレーム１内に納められるように構成したので、治療台９およびその駆動装置との干渉を防止することができ、簡単な構成で最大限のアクセスフロアを確保することが可能である。
また、ゴミなど異物の落下を防止することが可能であるとともにメンテナンスも容易とすることが可能である。
【００３３】
さらに、リニアガイドでスライドするように構成された開閉式床１７をエアーシリンダ２１によって開閉するだけであるので、不要な騒音の発生が無く、患者にとって不快感を与えない快適な環境を実現することが可能である。また、上記の例ではエアーシリンダ２１を用いて開閉式床１７を駆動する場合を示したが、油圧シリンダやモータシリンダ、モータとボールネジ、モータとチェーンなどの機構や駆動方法としても良い。
【００３４】
実施の形態２.
上記実施の形態１では、開閉式床１７はエアーシリンダ２１を用いて個別に動作させていたが、ばねを介することによって複数個の開閉式床１７をまとめて動作させてもよい。
図５は実施の形態２における構成を示す図である。図において、符号２８は開閉式床１７に取り付けられたばね、２９は駆動機構であるエアーシリンダ２１によってスライドするスライドベース、３０はスライドベース２９に取り付けられたスライドベース用スライドレール、３１はベースを示す。その他の構成要素については実施の形態１における図１〜図４に示すものと同様である。
【００３５】
次に動作について説明する。図５においてローラー２２、ガイドローラー２３、ガイドレール２４、位置決めピン１８などによって開閉機構全体の位置が規制されており、開閉式床１７は照射装置８が通過する際に開動作させることについては実施の形態１と同様である。実施の形態１と異なるのは開閉式床１７がばね２８を介してスライドベース２９に取り付けられ、エアーシリンダ２１はスライドベース２９をスライド動作させる点である。またスライドベース２９にばねを介して取り付けられる開閉式床１７はひとつではなく、複数個取り付けられている。ここで複数個とは例えば４個の開閉式床１７をひとつのスライドベース２９で動作させることをいう。
【００３６】
このばね２８を開閉式床１７とスライドベース２９との間に介在させることによって、複数の開閉式床１７をひとつのエアーシリンダ２１で動作させた場合でも照射装置８に当たった開閉式床１７については、ばね２８を圧縮させることでスライドベース２９の動作を妨げること無く停止させることができる。照射装置８に当たらなかった開閉式床１７については完全に閉動作が行われる。
【００３７】
上記のような構成とすることにより、ひとつのエアーシリンダ２１で複数の開閉式床１７を動作させることが可能であり、構造を簡素化することができ、開閉式床１７の分割数を増やす場合においても実施の形態１と比較してより容易に対応することが可能である。これにより照射装置８と開閉式床１７との隙間を小さくしてアクセスフロアを最大限に確保することが可能である。
また、照射装置８の回転停止後に通路に位置した開閉式床１７を閉動作させる際に、開動作したスライドベース２９全てを閉動作させるだけで良いため、制御ロジックを簡素化することが可能である。
【００３８】
なお、照射装置８の回転停止後における開閉式床１７の閉動作は、開動作した全てのスライドベース２９について行うように記述したが全ての開閉式床１７が照射装置８に当たって停止する場合には閉動作を行わないという判断をさせても良い。
また、この実施の形態２ではエアーシリンダ２１を用いて開閉式床１７を駆動する例を示したが、油圧シリンダやモータシリンダ、モータとボールネジ、モータとチェーンなどの機構や駆動方法としても良いことは言うまでもない。
【００３９】
以上のように、この発明の回転照射装置によれば、照射装置の通過する床を開閉式とし、その開閉機構を回転照射装置のフレーム内部に設けることで、治療台の多軸の調整に必要なスペースを確保することができ、その結果簡単な構造で最大限のアクセスフロアを確保できるものである。その開閉機構を開閉式床の開動作時に占有するスペースを含めて回転照射装置のフレーム内部に収容するように構成したので、治療台側との干渉の問題が生じないため開閉機構の構造を簡素化することが可能である。
【００４０】
また、従来技術にある移動床方式に比べて騒音の低減が図れると共に、常に回転照射装置内部の最下部に開閉機構が位置する構造としたため、ゴミの落下も防止できるため、好適な治療環境を得ることが可能である。
【００４１】
さらに、この発明の回転照射装置によれば、開閉式床を複数に細分化した構造とすることで、最大限のアクセスフロアの確保が可能となる。
【００４２】
また、この発明による回転照射装置によれば、閉動作した際に開閉式床の先端に設けられた位置決めピンにより固定の床と接続される構造としたことによって、開閉式床の固定安定性を向上させることが可能である。
【００４３】
さらに、この発明による回転照射装置によれば、開閉式床のうちの少なくとも一つが固定の床と接続されるようにしたことで、照射装置の回り止めとしての効果を得ることができる。
【００４４】
また、この発明による回転照射装置によれば、複数の開閉式床をばねを介して接続し、一つの駆動機構によって駆動させるため、開閉式床の細分化によって駆動対象となる床数が増大したとしても、駆動機構の数を少なく抑えることができ、装置の簡素化が可能となる。
【００４５】
さらに、この発明による回転照射装置の開閉式床をスライド式とし、水平面内のみを移動するように構成したため、従来の移動式床方式のものよりも、開閉式床の移動によって生じる騒音の低減を図ることが可能である。
【００４６】
また、この発明による回転照射装置によれば、スクレーパを設けてフレーム内面および回転壁の内面に落ちた異物を集めることができるため、清掃などのメンテナンスが簡単となる。
【図面の簡単な説明】
【００４７】
【図１】この発明の実施の形態１における回転ガントリ全体を示す側面図である。
【図２】この発明の実施の形態１における開閉機構を示す側面図である。
【図３】この発明の実施の形態１における開閉式床を示す上面図である。
【図４】この発明の実施の形態１における開閉式床を示す断面図である。
【図５】この発明の実施の形態２における開閉機構を示す側面図である。
【図６】従来の技術を示す図である。
【符号の説明】
【００４８】
１ フレーム、２ 回転リング、３ 回転駆動装置、
５ ブレーキ装置、６ ケーブルスプール、７ ビーム輸送機器、
８ 照射装置、９ 治療台、１０ ＩＩ管装置、１１ 開閉機構、
１２ 回転パネル、１３ 固定壁、１４ 回転壁、１５ 治療台ベース、
１６ 建屋、１７（ａ〜ｐ） 開閉式床、１８ 位置決めピン、
１９ スライドレール、２０ ベース、２１ エアーシリンダ、
２２ ローラー、２３ ガイドローラー、２４ ガイドレール、
２５ 移動スクレーパ、２６ 治療台側固定スクレーパ、
２７ 開閉機構側固定スクレーパ、２８ ばね、
２９ スライドベース、３０ スライドベース用スライドレール、
３１ ベース。
【図１】
2007083059.tif 000003
【図２】
2007083059.tif 000004
【図３】
2007083059.tif 000005
【図４】
2007083059.tif 000006
【図５】
2007083059.tif 000007
【図６】
2007083059.tif 000008